(57)【要約】【課題】中間レンズ装着時においても使い勝手のよいカメラボディを提供することを目的とする。【解決手段】カメラボディは、交換レンズに接続可能な中間レンズを装着可能である。中間レンズは、第一のレンズと、第一のレンズの駆動を制御する第一の駆動制御部とを有する。交換レンズは、第二のレンズと、第二のレンズの駆動を制御する第二の駆動制御部とを有する。カメラボディは、ユーザによる操作を受け付ける操作部と、第一の駆動制御部及び第二の駆動制御部を制御するボディ制御部とを備える。ボディ制御部は、操作部でのユーザ操作に応じて、第一のレンズを駆動させるための信号を第一の駆動制御部へ送信し、及び／または、第二のレンズを駆動させるための信号を第二の駆動制御部へ送信する。【選択図】図１
2012118522.tif 000002
【特許請求の範囲】
【請求項１】
交換レンズに接続可能な中間レンズを装着可能なカメラボディであって、
前記中間レンズは、第一のレンズと、前記第一のレンズの駆動を制御する第一の駆動制御部とを有し、
前記交換レンズは、第二のレンズと、前記第二のレンズの駆動を制御する第二の駆動制御部とを有し、
前記カメラボディは、
ユーザによる操作を受け付ける操作部と、
前記第一の駆動制御部及び前記第二の駆動制御部を制御するボディ制御部と、を備え、
前記ボディ制御部は、前記操作部でのユーザ操作に応じて、前記第一のレンズを駆動させるための信号を前記第一の駆動制御部へ送信し、及び／または、前記第二のレンズを駆動させるための信号を前記第二の駆動制御部へ送信する、
カメラボディ。
【請求項２】
前記ボディ制御部は、前記操作部でのユーザ操作が、前記第一のレンズおよび前記第二のレンズにより実現され得るズーム倍率の全範囲における第一の範囲内のズーム倍率の設定を指示する場合は、前記第一の駆動制御部に前記第一のレンズを駆動させる信号を送信し、前記操作部でのユーザ操作が、前記ズーム倍率の全範囲における前記第一の範囲とは異なる第二の範囲内のズーム倍率の設定を指示する場合は、前記第二の駆動制御部に前記第二のレンズを駆動させる信号を送信する、
請求項１記載のカメラボディ。
【請求項３】
前記交換レンズ及び前記中間レンズを介して形成された被写体像を撮像して画像データを出力する撮像部と、
前記撮像部における画像データを出力する範囲を変更することにより、画像データが示す被写体像を電子的に拡大する電子ズーム機能を制御する電子ズーム制御部と、をさらに備え、
前記ボディ制御部は、ズーム倍率を変更するために、前記第一のレンズの駆動、前記第二のレンズの駆動及び前記電子ズーム機能を制御するための複数の駆動モードを有し、
前記ボディ制御部は、前記駆動モードに応じて、前記第一のレンズを駆動させるズーム倍率範囲、前記第二のレンズを駆動させるズーム倍率範囲、及び前記電子ズーム機能を動作させるズーム倍率範囲を変更する、
請求項１記載のカメラボディ。
【請求項４】
前記複数の駆動モードは、前記第一のレンズによるズーム動作、前記第二のレンズによるズーム動作及び前記電子ズーム動作を並列して実行する駆動モードを含む、
請求項３記載のカメラボディ。
【請求項５】
前記複数の駆動モードは、最小のズーム倍率を含む第１のズーム倍率範囲において前記電子ズーム機能を動作させ、前記第１のズーム倍率範囲よりも大きい第２のズーム倍率範囲において前記第一のレンズまたは前記第二のレンズを駆動する駆動モードを含む、
請求項３記載のカメラボディ。
【請求項６】
第一のレンズと、前記第一のレンズの駆動を制御する第一の駆動制御部とを有する中間レンズに接続可能な交換レンズであって、
第二のレンズと、
前記第二のレンズの駆動を制御する第二の駆動制御部と、
ユーザによる操作を受け付ける操作部と、
前記操作部が受け付けた操作に応じて、前記第一の駆動制御部に前記第一のレンズを駆動させる信号を送信し、及び／または、前記第二の駆動制御部に前記第二のレンズを駆動させる信号を送信する交換レンズ制御部と、を備える、
交換レンズ。
【請求項７】
交換レンズとカメラボディの間に装着可能な中間レンズであって、
ズームレンズと、
前記ズームレンズを駆動するレンズ駆動部と、
前記カメラボディから前記ズームレンズを駆動するための制御信号を受信する第一の受信部と、
前記交換レンズから前記ズームレンズを駆動するための制御信号を受信する第二の受信部と、
前記第一または第二の受信部を介して受信した制御信号に基づき前記レンズ駆動部を制御する制御部と、
を備えた中間レンズ。
【発明の詳細な説明】
【技術分野】
【０００１】
本発明は、カメラシステムを構成する交換レンズおよびカメラボディ、並びに交換レンズとカメラボディ間に装着される中間レンズに関する。
【背景技術】
【０００２】
交換レンズとカメラボディとを備えたカメラシステムにおいて、交換レンズとカメラボディとの間に装着する中間レンズが知られている。中間レンズを装着することにより、例えば交換レンズ単体よりも焦点距離を延ばすことが可能となる（例えば、特許文献１参照。）。
【先行技術文献】
【特許文献】
【０００３】
【特許文献１】特開昭５９−１８８６２２号公報
【発明の概要】
【発明が解決しようとする課題】
【０００４】
従来の中間レンズにおいては、中間レンズが備えるレンズ群は鏡筒内で固定されていた。このため、中間レンズ装着時にカメラシステムにおける、光学系の制御の自由度が制限されていた。例えばズーム倍率が４倍の交換レンズに対し、倍率が２倍に固定された中間レンズを装着すると、この組み合わせにおけるズーム倍率は交換レンズ単体と比較して２倍〜８倍相当の範囲となる。すなわち、この中間レンズを装着した状態ではズーム倍率を等倍（１倍）とすることはできず、一旦中間レンズを取り外す必要があった。このため、ユーザが等倍での撮影を行いたいと思ってもすぐに撮影を行うことができず、使い勝手が悪かった。
【０００５】
本発明は上記課題に鑑みてなされたものであり、中間レンズ装着時においても使い勝手のよいカメラボディを提供することを目的とする。
【課題を解決するための手段】
【０００６】
本発明の第一の態様において、交換レンズに接続可能な中間レンズを装着可能であるカメラボディが提供される。中間レンズは、第一のレンズと、第一のレンズの駆動を制御する第一の駆動制御部とを有する。交換レンズは、第二のレンズと、第二のレンズの駆動を制御する第二の駆動制御部とを有する。カメラボディは、ユーザによる操作を受け付ける操作部と、第一の駆動制御部及び第二の駆動制御部を制御するボディ制御部とを備える。ボディ制御部は、操作部でのユーザ操作に応じて、第一のレンズを駆動させるための信号を第一の駆動制御部へ送信し、及び／または、第二のレンズを駆動させるための信号を第二の駆動制御部へ送信する。
【０００７】
本発明の第二の態様において、第一のレンズと、第一のレンズの駆動を制御する第一の駆動制御部とを有する中間レンズに接続可能な交換レンズが提供される。交換レンズは、第二のレンズと、第二のレンズの駆動を制御する第二の駆動制御部と、ユーザによる操作を受け付ける操作部と、操作部が受け付けた操作に応じて、第一の駆動制御部に第一のレンズを駆動させる信号を送信し、及び／または、第二の駆動制御部に第二のレンズを駆動させる信号を送信する交換レンズ制御部と、を備える。
【０００８】
本発明の第三の態様において、交換レンズとカメラボディの間に挿入されて使用される中間レンズが提供される。中間レンズは、ズームレンズと、ズームレンズを駆動するレンズ駆動部と、カメラボディからズームレンズを駆動するための制御信号を受信する第１の受信部と、交換レンズからズームレンズを駆動するための制御信号を受信する第２の受信部と、第１または第２の受信部を介して受信した制御信号に基づきレンズ駆動部を制御する制御部と、を備える。
【発明の効果】
【０００９】
本発明によれば、カメラボディまたは交換レンズから、中間レンズの光学系の駆動の制御が可能となる。これにより、中間レンズを装着した状態のカメラシステムにおいて、カメラボディまたは交換レンズから中間レンズの光学系を制御でき、中間レンズを装着したカメラシステムの使い勝手を向上できる。
【図面の簡単な説明】
【００１０】
【図１】デジタルカメラの概略構成図
【図２】各駆動モードにおける、交換レンズのズーム、中間レンズのズーム、電子ズームの駆動を説明した図
【図３】デジタルカメラのズーム動作を示すフローチャート
【発明を実施するための形態】
【００１１】
以下、添付の図面を参照して本発明の実施形態を説明する。
【００１２】
１．実施の形態１
以下、図を用いて実施の形態１に係るデジタルカメラの構成および動作について説明する。
【００１３】
１−１．構成
以下、デジタルカメラの構成について説明する。
【００１４】
１−１−１．概略構成
デジタルカメラの概要を説明する。図１はデジタルカメラの概略構成図である。デジタルカメラ１００は、レンズ交換式のデジタルカメラである。中間レンズ４００（中間コンバージョンレンズ）は、カメラボディ２００と交換レンズ３００の間に装着可能である。一般に、中間レンズは、様々な交換レンズとカメラボディ間に装着されて、交換レンズの焦点距離を変更することが可能なレンズである。中間レンズを使用することで、ユーザは高価な交換レンズを多数所有する必要がなくなり、少ない交換レンズで様々な焦点距離での撮影が可能となる。特に、本実施形態の中間レンズ４００は固定倍率ではなく、可変倍率である。一般的に、固定焦点タイプの中間レンズをカメラボディに装着した状態にあるときにユーザが等倍での撮影を望む場合、カメラボディから中間レンズを取り外す必要があり、また、中間の焦点距離での撮影は不可能である。本実施の形態の中間レンズ４００は、その焦点距離を電動で変更することが可能であり、このような問題を解決できる。
【００１５】
更に交換レンズ３００も、中間レンズ４００と同様、電動駆動可能であり、手動で駆動する必要がない。よって、動画撮影時において、手動駆動時のズーム駆動操作音による騒音の防止や撮影のし易さを向上することが可能である。また電動駆動によって、遠隔操作や、プログラムによるズーム操作が可能となる。
【００１６】
１−１−２．カメラシステムの構成
カメラボディ２００は、ボディマウント２１０を介して、中間レンズ４００に設けられた中間レンズマウント（ボディ側）４１０に装着されている。ボディ通信部２１１と中間レンズ通信部（ボディ側）４１１とにより、ボディマイコン２０１と中間レンズマイコン４０１との通信が可能となっている。
【００１７】
更に交換レンズ３００は、レンズマウント３１０を介して、中間レンズ４００に設けられた中間レンズマウント（レンズ側）４２０に装着されている。レンズ通信部３１１と中間レンズ通信部（レンズ側）４２１とにより、交換レンズマイコン３０１と中間レンズマイコン４０１との通信が可能となっている。
【００１８】
つまり、交換レンズマイコン３０１と中間レンズマイコン４０１とボディマイコン２０１とは、レンズ通信部３１１と中間レンズ通信部（レンズ側）４２１と中間レンズ通信部（ボディ側）４１１とボディ通信部２１１とにより、互いに通信可能となっている。
【００１９】
１−１−３．カメラボディの構成
カメラボディ２００の概略構成について説明する。カメラボディ２００は、ボディマウント２１０と、交換レンズ３００と中間レンズ４００の通信をおこなうボディ通信部２１１とを有している。また、カメラボディ２００は、ボディマイコン２０１、画像処理エンジン２４０、撮像センサ駆動制御部２２０、撮像センサ２２１、画像表示制御部２３０、画像表示部２３１、メモリカード２４１を着脱可能なカードスロット２４１ｂ、内蔵マイク２４２、静止画撮影操作ボタン２５１、動画撮影操作ボタン２５２、メニュー操作ボタン２５３、ズーム操作ボタン２５５とを有する。
【００２０】
ボディ通信部２１１とレンズ通信部３１１と中間レンズ通信部（ボディ側）４１１とは、互いにデータの送受信が可能である。通信データの例として、焦点距離データ、ズーム駆動制御信号、フォーカス駆動制御信号、露光同期信号、動画記録中であるか否かの情報、静音優先が設定されているか否かの情報などがある。ボディマイコン２０１は、各通信部を介してこれらの通信データを取得することにより、各種制御信号を生成することができる。例えば、ボディマイコン２０１は、ズーム操作ボタン２５５が操作された場合は、ズーム動作をさせるレンズの制御指令を行うことができる。
【００２１】
撮像センサ２２１は、交換レンズ３００および中間レンズ４００の光学系を介して形成される光学的な像を電気的な信号に変換して画像データを生成するセンサである。撮像センサ２２１は、撮像センサ駆動制御部２２０により発生されるタイミング信号により駆動制御される。撮像センサ２２１が生成した画像データは、画像処理エンジン２４０へと供給され、様々な画像処理が行われる。
【００２２】
画像処理エンジン２４０は、撮像センサ２２１から供給された画像データに対して、ＹＣ変換処理、ホワイトバランス補正処理、ガンマ補正処理、画像拡大・縮小処理、画像の圧縮・縮小処理、コントラスト値を検出することによる合焦判定処理等の様々な画像処理を実行可能である。画像処理エンジン２４０により処理された画像データは、メモリカード２４１に記録されたり、画像表示制御部２３０を介して画像表示部２３１に表示されたりする。
【００２３】
画像表示部２３１は、画像表示制御部２３０からの命令に基づいて、ライブモニタ画像や、記録された画像などを再生表示する。
【００２４】
内蔵マイク２４２は、動画撮影時に入力した音声を電気的な信号に変換する。図１には記載していないが、デジタルカメラ１００には外部マイクを接続するための端子を備えている。外部マイクは指向性に優れ、交換レンズ３００や中間レンズ４００の駆動部が発する騒音や、カメラボディ２００が発する騒音を録音し難いような構成を有する。その為、デジタルカメラ１００に外部マイクが接続された場合、内蔵マイク２４２が使用されず、外部マイクが使用されるよう構成してもよい。音声処理エンジン２４３は、内蔵マイク２４２や外部マイクからのアナログ音声信号をデジタル信号に変換する。その際にはゲインコントロールや、各種フィルターによるノイズキャンセル、周辺環境音の認識等の様々な音声処理が実行可能である。
【００２５】
動画撮影時においては、ボディマイコン２０１は、撮像センサ２２１により撮像され、画像処理エンジン２４０でデジタル変換された動画像データおよび内蔵マイク２４２により入力され、音声処理エンジン２４３でデジタル変換された音声データを、所定のフォーマット形式で多重化処理し、動画像ファイルとしてメモリカード２４１に記録する。
【００２６】
メモリカード２４１は、撮像センサ２２１により生成された静止画像データや動画像データを保存する。ボディマイコン２０１は、カードスロット２４１ｂを介して、メモリカード２４１への各種データの記録処理を実行可能である。
【００２７】
カメラボディ２００の上面には、静止画撮影操作ボタン（シャッターボタン）２５１や、動画撮影操作ボタン２５２が設けられており、ボタン操作により各撮影モードが実行される。静止画撮影操作ボタン２５１は、浅く押下された半押し状態と、深く押下された全押し状態とを有する。静止画撮影操作ボタン２５１のユーザによる半押し操作を受け付けると、ボディマイコン２０１は、被写体に合焦するようにフォーカスレンズ（図示せず）を制御（オートフォーカス制御）する。そして、全押し操作を受け付けると、押下のタイミングに応じて生成された静止画像データをメモリカード２４１に記録する。また、動画撮影操作ボタン２５２のユーザによる全押し操作を受け付けると、ボディマイコン２０１は、内蔵マイク２４２による音声データの生成と、撮像センサ２２１による記録用動画像データの生成を開始して、生成された動画像ファイルをメモリカード２４１に記録する。すなわち、ユーザによる動画撮影操作ボタン２５２の操作を受けつけると、ボディマイコン２０１は、動画記録のための各種動作を実行する。
【００２８】
メニュー操作ボタン２５３は、様々なカメラ設定を行うためにユーザにより操作されるボタンである。
【００２９】
ボディマイコン２０１は、カメラボディ２００の中枢を司る制御装置であり、静止画撮影操作ボタン（シャッターボタン）２５１や、動画撮影操作ボタン２５２や、メニュー操作ボタン２５３が操作されたことを検知する。また、ボディマイコン２０１は、交換レンズ３００や中間レンズ４００がカメラボディ２００に装着されたことを検知する機能、あるいは交換レンズ３００から焦点距離情報などのデジタルカメラ１００を制御する上で必要な情報を取得する機能を有している。更にボディマイコン２０１は、交換レンズマイコン３０１を介して交換ズームレンズ３３２を制御するための制御指令を送信する。また、ボディマイコン２０１は、中間レンズマイコン４０１を介して中間ズームレンズ４３２を制御するための制御指令を送信する。
【００３０】
１−１−４．交換レンズの構成
交換レンズ３００の概略構成について説明する。交換レンズマウント３１０は、カメラボディマウント２１０または中間レンズマウント４２０との装着が可能である。交換レンズマイコン３０１は、交換レンズ通信部３１１、ボディ通信部２１１、中間レンズ通信部（カメラボディ側）４１１および中間レンズ通信部（交換レンズ側）４２１を介して、ボディマイコン２０１や中間レンズマイコン４０１と通信が可能である。また、交換レンズ３００はズームレンズ駆動制御部３３０、ズームモータ３３１、ズームレンズ３３２およびズーム操作ボタン３５５を有する。交換レンズマイコン３０１は、ズーム操作ボタン３５５でズーム操作がおこなわれたことを検出すると、ズームレンズ駆動制御部３３０を介してズームモータ３３１を駆動させることでズームレンズ３３２を光軸方向に移動することができ、撮影焦点距離を可変することが可能となる。このように本実施形態の交換レンズ３００は電動ズームレンズである。
【００３１】
１−１−５．中間レンズの構成
中間レンズ４００の概略構成について説明する。中間レンズマウント（カメラボディ側）４１０は、カメラボディマウント２１０と接続し、また中間レンズマウント（交換レンズ側）４２０は、交換レンズマウント３１０と接続される。中間レンズマイコン４０１は、中間レンズ通信部（カメラボディ側）４１１およびボディ通信部２１１を介してボディマイコン２０１と通信が可能である。中間レンズマイコン４０１は、中間レンズ通信部（交換レンズ側）４２１およびレンズ通信部３１１を介して交換レンズマイコン３０１と通信が可能である。カメラボディ２００のズーム操作ボタン２５５でズーム操作がおこなわれた場合には、ボディマイコン２０１から中間レンズのズーム駆動情報が中間レンズマイコン４０１に通知され、中間レンズのズームレンズ駆動制御部４３０を介してズームモータ４３１を駆動させることで中間レンズのズームレンズ４３２を光軸方向に移動することができ、撮影焦点距離を可変することが可能となる。また、交換レンズ３００のズーム操作ボタン３５５でズーム操作がおこなわれた場合には、交換レンズマイコン３０１から中間レンズのズーム駆動情報が中間レンズマイコン４０１に送信され、中間レンズのズームレンズ駆動制御部４３０を介して中間レンズのズームモータ４３１を駆動させることで、中間レンズのズームレンズ４３２を光軸方向に移動することができ、撮影焦点距離を可変することが可能となる。このように、本実施形態の中間レンズ４００は電動ズームレンズ（電動コンバージョンレンズ）である。
【００３２】
１−２．動作
１−２−１．デジタルカメラによるズーム動作
本実施形態のデジタルカメラ１００は、交換レンズ３００による光学的なズームと、中間レンズ４００による光学的なズームに加えて、電子的に画像の拡大処理を行う電子ズーム機能を有する。
【００３３】
電子ズームは、カメラボディ２００の画像処理エンジン２４０による電子的なズーム機能である。電子ズームでは、撮像センサ２２１全体の撮像領域から一部の領域（撮影解像度の領域）を切り出し、その切り出した領域の画像を撮影画像として出力する。すなわち、撮像領域の一部の領域の画像を切り出すことで、画像全体に対する被写体の大きさが相対的に拡大されるためズーム効果が得られる。撮影される画像の解像度が撮像センサ２２１の最大解像度よりも小さい場合、このような電子ズームにより、画像劣化なく拡大された画像を得ることができる。例えば、撮像センサ２２１の最大解像度が４０００画素×３０００画素であり、動画撮影時の撮影解像度が１９２０画素×１０８０画素の場合、撮像センサ２２１の４０００画素×３０００画素の領域の中の１９２０画素×１０８０画素の領域の画像を動画像として取り出す。この場合、動画撮影時の撮影解像度は撮像センサ２２１の最大解像度に対して十分に小さいため、電子ズームをおこなっても画質劣化は生じない。静止画撮影の場合には、電子ズームによる画質劣化の有無は、ユーザが設定した撮影解像度に依存する。つまり最大解像度で撮影した場合において、電子ズームをおこなうと画質劣化のある画像となってしまう。ユーザは、カメラボディ２００のメニュー操作ボタン２５３により、「高画質電子ズーム」、「高倍率電子ズーム」および「電子ズームなし」のいずれかを設定可能である。つまり、高画質電子ズームが設定された場合には、画質劣化が生じない範囲で電子ズームを実施する。また、高倍率電子ズームが設定された場合には、画質劣化が生じない範囲で電子ズームを実施後、更に電子ズームが選択された場合には、画素補間により著しい画質劣化が生じない範囲で最大限の電子ズームを実施する。
【００３４】
１−２−１−１．駆動モード
本実施形態のデジタルカメラ１００は、駆動モードとして、通常モード、高速モード、及び静音モードの３種類のモードを有する。駆動モード毎に、ズームレンズ及びズーム機能の駆動方法が異なる。駆動モードは、カメラボディ２００のメニュー操作ボタン２５３やズーム操作ボタン２５５によるユーザ操作に基づき設定される。
【００３５】
高速モードは、撮影焦点距離を素早く変更したい場合に使用するモードである。高速モードは、ユーザによってズーム操作ボタン２５５が長押しされた場合や、複数段階のズームスピード設定が可能なズーム操作ボタン２５５において高速設定の操作がなされた場合に実行される。静音モードは、動画撮影時にズーム操作がおこなわれた場合に使用するモードであり、交換レンズのズームレンズ３３２の駆動音、中間レンズのズームレンズ４３２の駆動音が動画記録され難くするものである。通常モードは、高速モード及び静音モード以外のモードを示す。
【００３６】
図２は各駆動モードを説明した図である。図２は、通常モード（図２（ａ））、高速モード（図２（ｂ））及び静音モード（図２（ｃ））のそれぞれのモードにおける、交換レンズ３００によるズーム、中間レンズ４００によるズーム及び電子ズームの駆動タイミングを説明した図である。各図において、縦軸は時間の経過を示しており、横軸は時間経過にともなうズーム倍率を示している。図２（ａ）及び図２（ｃ）では、等倍（１倍）のズーム倍率から最大ズーム倍率へとズーム操作したときの様子を示している。つまり、図２（ａ）及び図２（ｃ）においては、横軸は３種類のズームによる合計のズーム倍率を示している。これに対して、図２（ｂ）では、横軸は、交換レンズ３００によるズーム、中間レンズ４００によるズーム及び電子ズームそれぞれのズーム倍率を示している。図２に示すように、駆動モードによって各ズームの駆動順序が異なっている。また、図２（ａ）及び（ｃ）に示すように通常モード及び静音モードでは、ズーム倍率の範囲に応じて駆動するズーム手段が切り替わっている。以下、各駆動モードの詳細を説明する。
【００３７】
通常モードでは、図２（ａ）に示すように、ズーム倍率の増加にともない、最初に交換レンズ３００によるズーム動作が実施され、次に、中間レンズ４００によるズーム動作が実施され、最後に、電子ズームが実施される。すなわち、通常モードでは、等倍の状態からズーム操作がなされると、交換レンズ３００の最大ズーム倍率に達するまでは、交換レンズ３００によるズーム動作が実施される。交換レンズ３００の最大ズーム倍率に達した後、さらに高いズーム倍率が要求されたときは、中間レンズ４００によるズーム動作に切り替わる。中間レンズ４００によるズーム倍率が中間レンズ４００の最大倍率に達し、さらに高いズーム倍率が要求されたときは、電子ズームによるズーム動作が実施される。
【００３８】
高速モードでは、図２（ｂ）に示すように、交換レンズ３００によるズームと中間レンズ４００によるズームと電子ズームとが並列的に駆動制御される。このため、交換レンズ３００、中間レンズ４００およびカメラボディ２００による電子ズームをあわせたカメラシステム１００としての最大ズーム倍率へは、高速モード時のほうが、通常モード時よりも、より短時間で到達することが可能となる。
【００３９】
静音モードでは、図２（ｃ）に示すように、ズーム倍率の増加にともない、最初に電子ズームが実施され、次に、交換レンズ３００によるズーム動作が実施され、最後に、中間レンズ４００によるズーム動作が実施される。すなわち、静音モードでは、等倍の状態からズーム操作がなされると、電子ズームのズーム倍率が電子ズームの最大倍率に達するまでは、電子ズームによるズーム動作が実施される。電子ズームの最大倍率に達した後、さらに、高いズーム倍率が要求されたときは、交換レンズ３００によるズーム動作に切り替わる。交換レンズ３００によるズーム倍率が交換レンズ３００の最大倍率（例えば６倍）に達し、さらに、高いズーム倍率が要求されたときは、中間レンズ４００によるズーム動作が実施される。静音モードは、できるだけレンズの駆動音を発しないようにズーム動作を実施するためのモードであり、電子ズームは駆動音を発しないことから最初に実施される。
【００４０】
１−２−２．カメラボディのズーム操作ボタンによるズーム操作時の動作
本実施の形態において、カメラボディ２００のズーム操作ボタン２５５を介してユーザがズーム操作を実行した場合の動作について図３のフローチャートを参照して説明する。なお、図３のフローチャートは、ズーム倍率を等倍（ズーム最小倍率）からズームの最大倍率まで変化させるように、ユーザがカメラボディ２００のズーム操作ボタン２５５を継続して操作したときの動作を示している。
【００４１】
ボディマイコン２０１は最初に、デジタルカメラ１００に設定されている駆動モードの判別をおこなう（Ｓ１００）。駆動モードには、前述のように通常モード、高速モード、静音モードの３種類がある。判別結果にしたがったモードでのズーム動作が実行される。
【００４２】
デジタルカメラ１００に設定されているモードが通常モードの場合、カメラボディ２００のズーム操作ボタン２５５においてズーム操作が実行されると、ボディマイコン２０１は交換レンズマイコン３０１に駆動指令を送信する。交換レンズ３００において、交換レンズマイコン３０１は駆動指令を受けて、交換レンズ３００のズームレンズ駆動制御部３３０を制御し、ズームレンズ３３２を駆動させる（Ｓ２０１）。ズームレンズ駆動制御部３３０は、現在のズーム位置が、交換レンズ３００のズームレンズ３３２の最大ズーム位置であるか否かを判断し（Ｓ２０２）、ズームレンズ３３２が最大ズーム位置に達していない場合、更にズームレンズ３３２を駆動させる（Ｓ２０１）。交換レンズ３００のズームレンズ３３２が最大ズーム位置に達した場合、交換レンズマイコン３０１はボディマイコン２０１へその旨を通知する。
【００４３】
交換レンズ３００のズームレンズ３３２が最大ズーム位置に達した場合、ボディマイコン２０１は中間レンズマイコン４０１に駆動指令を送信する。中間レンズマイコン４０１は駆動指令を受けて中間レンズ４００のズームレンズ駆動制御部４３０を制御し、ズームレンズ４３２を駆動させる（Ｓ２０３）。ズームレンズ駆動制御部４３０は、ズームレンズ４３２の位置が、ズームレンズ４３２の最大ズーム位置であるか否かを判断する（Ｓ２０４）。ズームレンズ４３２が最大ズーム位置に達していない場合、ズームレンズ駆動制御部４３０は更にズームレンズ４３２を駆動させる（Ｓ２０３）。中間レンズ４００のズームレンズ４３２が最大ズーム位置に達した場合、中間レンズマイコン４０１はボディマイコン２０１にその旨を通知する。
【００４４】
中間レンズ４００のズームレンズ４３２が最大ズーム位置に達した場合、次に、電子ズームが行われる。すなわち、画像処理エンジン２４０は設定に応じて電子ズームを行う（Ｓ２０５）。尚、電子ズームを行うか否かは、上述のようにユーザのメニュー操作による設定に従う。つまりユーザによる設定が「電子ズームなし」であれば電子ズームは実施しない。一方、ユーザによる設定が「高画質電子ズーム」および「高倍率電子ズーム」のいずれかであれば、その設定に応じて電子ズームを行なう。画像処理エンジン２４０は、現在の電子ズームの倍率が設定された最大倍率であるか否かを判断し（Ｓ２０６）、最大倍率に達するまで、画像処理エンジン２４０は電子ズームを行う（Ｓ２０５、Ｓ２０６）。
【００４５】
以上のように、通常モードでは、ズーム操作に応じて、交換レンズ３００によるズーム動作、中間レンズ４００によるズーム動作、電子ズーム動作の順にズーム動作が実施される。
【００４６】
ステップＳ１００において、デジタルカメラ１００に設定されたモードが高速モードであると判別された場合、カメラボディ２００のズーム操作ボタン２５５において高速ズーム操作が実行されると、ボディマイコン２０１は、交換レンズマイコン３０１と中間レンズマイコン４０１に同時に駆動指令を送信する。駆動指令を受信すると直ちに、交換レンズ３００のズームレンズ駆動制御部３３０は交換レンズ３００のズームレンズ３３２を駆動させ、また、中間レンズ４００のズームレンズ駆動制御部４３０は中間レンズ４００のズームレンズ４３２を駆動させる。さらには、画像処理エンジン２４０は電子ズームを実行する（Ｓ３０１）。このように、高速モードでは、３つのズーム動作、すなわち、交換レンズ３００のズーム動作、中間レンズ４００のズーム動作、および、電子ズーム動作が並行して行われる。なお、電子ズームについては、通常モードの場合と同様、ユーザのメニュー操作による設定に従い行われる。
【００４７】
ステップＳ１００において、デジタルカメラ１００に設定されたモードが静音モードであると判別された場合、動画撮影中にカメラボディ２００のズーム操作ボタン２５５においてズーム操作が実行されると、まず、画像処理エンジン２４０が電子ズームをおこなう（Ｓ４０１）。画像処理エンジン２４０は、「高画質電子ズーム」、「高倍率電子ズーム」等の設定されたモードに応じて、電子ズームの最大倍率を算出し、現在の電子ズームの倍率がその最大倍率であるか否かを判断する（Ｓ４０２）。最大倍率でない場合には、画像処理エンジン２４０は更に電子ズームをおこなう（Ｓ４０１）。最大倍率に達した場合、交換レンズ３００によるズーム動作を行う（Ｓ４０３）。すなわち、ボディマイコン２０１は交換レンズマイコン３０１に駆動指令を送信する。交換レンズマイコン３０１は駆動指令を受けると、ズームレンズ駆動制御部３３０を制御してズームレンズ３３２を駆動させる（Ｓ４０３）。ズームレンズ駆動制御部３３０は、交換レンズ３００のズームレンズ３３２が最大ズーム位置に達したか否かを判断する（Ｓ４０４）。交換レンズ３００のズームレンズ３３２が最大ズーム位置に達していない場合、ズームレンズ駆動制御部３３０はズームレンズ３３２を更に駆動させる（Ｓ４０３）。交換レンズ３００のズームレンズ３３２が最大ズーム位置に達した場合、交換レンズマイコン３０１はズーム動作を停止し、ボディマイコン２０１へその旨を通知する。
【００４８】
交換レンズのズームレンズ３３２が最大ズーム位置に達した場合、中間レンズ４００によるズーム動作を実行する。そのため、ボディマイコン２０１は中間レンズマイコン４０１に駆動指令を送信する。中間レンズマイコン４０１は駆動指令を受けて中間レンズ４００のズームレンズ駆動制御部４３０を制御し、中間レンズ４００のズームレンズ４３２を駆動させる（Ｓ４０５）。ズームレンズ駆動制御部４３０はズームレンズ４３２が中間レンズ４００の最大ズーム位置に達したか否かを判断する（Ｓ４０６）。中間レンズ４００のズームレンズ４３２が最大ズーム位置に達していない場合、ズームレンズ駆動制御部４３０は中間レンズのズームレンズ４３２を更に駆動させる（Ｓ４０５）。ズームレンズ４３２が最大ズーム位置に達した場合、中間レンズマイコン４０１はズーム動作を停止し、ボディマイコン２０１へその旨を通知する。
【００４９】
上記の例では、電子ズームの次に交換レンズ３００のズームを実行している。これは、交換レンズ３００の方が中間レンズ４００よりもカメラボディ２００からより離れていることから、交換レンズのズームレンズ３３２の駆動音が、中間レンズのズームレンズ４３２の駆動音よりも、内蔵マイク２４２に、より収音されにくいと考えられるからである。また、ボディ２００に交換レンズ３００と中間レンズ４００が装着された際に、それぞれのマイコンに搭載されている駆動音データより、ボディ２００が交換レンズ３００と中間レンズ４００のどちらを優先してズーム駆動させるかを判断しても良い。
【００５０】
１−２−３．交換レンズのズーム操作ボタンによるズーム操作時の動作
上記の説明では、カメラボディ２００のズーム操作ボタン２５５を介してユーザがズーム操作を実行した場合の動作について説明した。以下、交換レンズ３００のズーム操作ボタン３５５を介してユーザがズーム操作を実行した場合の動作の例について説明する。
【００５１】
交換レンズ３００のズーム操作ボタン３５５を介したズーム操作の場合、前述のカメラボディ２００のズーム操作ボタン２５５によるズーム操作時の場合とは、ボディマイコン２０１と交換レンズマイコン３０１の処理が互いに入れ替わった制御になる。つまり、カメラボディ２００のズーム操作ボタン２５５によるズーム操作時の動作については、ホスト（制御主体）はボディマイコン２０１である。これに対して、交換レンズ３００のズーム操作ボタン３５５によるズーム操作時の動作については、ホスト（制御主体）が交換レンズマイコン３０１となる。すなわち、交換レンズマイコン３０１は、交換レンズ３００のズーム操作ボタン３５５の操作に基づき、交換レンズ３００のズームレンズ３３２と中間レンズ４００のズームレンズ４３２の双方の駆動を制御する。
【００５２】
具体的には、図３のフローチャートを参照して説明した処理において、カメラボディ２００のズーム操作ボタン２５５の操作に基づくボディマイコン２０１の制御を、交換レンズ３００のズーム操作ボタン３５５の操作に基づき交換レンズマイコン３０１が実行する。すなわち、交換レンズマイコン３０１が中間レンズマイコン４０１及びボディマイコン２０１に駆動指令を送信する。中間レンズマイコン４０１は、交換レンズマイコン３０１からの駆動指令を受けてズームレンズ４３２を駆動する。ボディマイコン２０１は交換レンズマイコン３０１からの駆動指令を受けて電子ズームを駆動する。なお、モード判別の結果や電子ズームに関する情報等のボディマイコン２０１でしか知り得ない情報については、交換レンズマイコン３０１はボディマイコン２０１から取得するようにする。
【００５３】
このような制御により、ズーム操作ボタン２５５がないカメラボディ２００においても、交換レンズ３００のズーム操作ボタン３５５のみで、中間レンズ４００のズーム操作が可能となり、中間レンズ４００のズーム操作ボタンも不要となる。また、中間レンズ４００にズーム操作ボタンが存在する場合であっても、ユーザは交換レンズ３００のズーム操作ボタン３５５のみを操作すればよく、ユーザが交換レンズ３００と中間レンズ４００の双方を操作する必要がなくなり操作性が向上する。
【００５４】
以上のように、中間レンズ４００のズームレンズ４３２は、交換レンズ３００（交換レンズマイコン３０１）により制御されてもよい。このように、中間レンズ４００を交換レンズ３００により制御することで、ユーザは、交換レンズ３００のズーム操作ボタン３５５を操作したときに、中間レンズ４００を意識することなく、交換レンズ３００と中間レンズ４００を一体としてズーム操作を実現できる。
【００５５】
なお、交換レンズ３００のズーム操作ボタン３５５の操作情報に基づきズーム動作を実現する方法として以下の方法も考えられる。すなわち、交換レンズ３００のズーム操作ボタン３５５の操作情報をボディマイコン２０１に送信し、ボディマイコン２００は、受信した交換レンズ３００のズーム操作ボタン３５５の操作情報に基づき前述のズーム制御を行っても良い。
【００５６】
１−３．まとめ
以上のように、本実施形態のカメラボディ２００は、交換レンズ３００に接続可能な中間レンズ４００を装着可能である。中間レンズ４００は、ズームレンズ４３２と、ズームレンズ４３２の駆動を制御する中間レンズマイコン４０１とを有する。交換レンズ３００は、ズームレンズ３３２と、ズームレンズ３３２の駆動を制御する交換レンズマイコン３０１とを有する。カメラボディ２００は、ユーザによるズーム操作を受け付けるズーム操作ボタン２５５と、交換レンズ３００の交換レンズマイコン３０１及び中間レンズ４００の中間レンズマイコン４０１を制御するボディマイコン２０１とを備える。ボディマイコン２０１は、ズーム操作ボタン２５５のユーザ操作に応じて、交換レンズ３００のズームレンズ３３２を駆動させるための信号を交換レンズマイコン３０１へ送信し、及び／または、中間レンズ４００のズームレンズ４３２を駆動させるための信号を中間レンズマイコン４０１へ送信する。
【００５７】
また、本実施形態の交換レンズ３００は、ズームレンズ４３２と、ズームレンズ４３２の駆動を制御する中間レンズマイコン４０１とを有する中間レンズ４００に接続可能である。交換レンズ３００は、ズームレンズ３３２と、ズームレンズ３３２の駆動を制御するズームレンズ駆動制御部３３０と、ユーザによる操作を受け付けるズーム操作ボタン３５５と、ズーム操作ボタン３５５が受け付けた操作に応じて、中間レンズマイコン４０１にズームレンズ４３２を駆動させる信号を送信し、及び／または、ズームレンズ駆動制御部３３０にズームレンズ３３２を駆動させる信号を送信する交換レンズマイコン３０１と、を備える。
【００５８】
また、本実施形態の中間レンズ４００は、交換レンズ３００とカメラボディ２００の間に挿入されて使用される。中間レンズ４００は、ズームレンズ４３２と、ズームレンズ４３２を駆動するズームレンズ駆動制御部４３０と、カメラボディ２００からズームレンズ４３２を駆動するための制御信号を受信する中間レンズ通信部（ボディ側）４１１と、交換レンズ３００からズームレンズ４３２を駆動するための制御信号を受信する中間レンズ通信部（レンズ側）４２１と、中間レンズ通信部４１１、４２１を介して受信した制御信号に基づきズームレンズ駆動制御部４３０を制御する中間レンズマイコン４０１と、を備える。
【００５９】
上記構成によれば、カメラボディ２００または交換レンズ３００から、中間レンズ４００の光学系４３２の駆動の制御が可能となる。これにより、中間レンズ４００を装着した状態のカメラシステム１００において、カメラボディ２００または交換レンズ３００の操作ボタン２５５、３５５から中間レンズ４００の光学系４３２を制御でき、中間レンズ４００を装着したカメラシステム１００の使い勝手を向上できる。
【００６０】
２．他の実施の形態
本発明の実施の形態は、前述の実施の形態に限られず、本発明の趣旨を逸脱しない範囲で種々の修正および変更が可能である。また、前述の実施の形態は、本質的に好ましい例示であって、本発明、その適用物、あるいはその用途の範囲を制限することを意図するものではない。
【００６１】
交換レンズ３００と中間レンズ４００との組み合わせに応じて中間レンズ４００のズーム範囲を制限するようにしてもよい。例えば、中間レンズ４００はズーム範囲１〜２倍が可能であるが、装着される交換レンズ３００によっては光学性能により全ズーム範囲で使用すると画質に悪影響をおよぼす場合がある。そのようなときには、中間レンズ４００のズーム範囲を１〜１．８倍に制限することも可能である。つまり、カメラボディ２００のズーム操作ボタン２５５によるズーム操作時の動作においては、ボディマイコン２０１から中間レンズマイコン４０１への駆動制御指示において、ズーム範囲をリミット制御する。同様に、交換レンズ３００のズーム操作ボタン３５５によるズーム操作時の動作においては、交換レンズマイコン３０１から中間レンズマイコン４０１への駆動制御指示において、ズーム範囲をリミット制御する。
【００６２】
更に、交換レンズ３００の電動ズーム、中間レンズ４００の電動ズームの駆動電源はカメラボディ２００から供給されるが、カメラシステム１００において、交換レンズ３００のズーム駆動電流が大きい機種および中間レンズ４００のズーム駆動電流が大きい機種が同時に装着された場合には、同時にズーム駆動できない場合があり、その場合には高速モードにおいても並列駆動させないようにすることができる。例えば、カメラボディ２００に交換レンズ３００および中間レンズ４００が装着されたときには、カメラボディ２００が、交換レンズ３００および中間レンズ４００から送られる情報からその種類を判別する。そして、交換レンズ３００および中間レンズ４００の種類により、これらに対する同時のズーム駆動ができないと判断したときには、高速モードによるズーム操作が指示された場合でも、通常モードによるズーム駆動をおこなうようにすればよい。
【００６３】
高速モード・静音モードの選択において、撮影状況に応じてボディマイコン２０１を自動設定しても良い。例えば、高速モードにおいて動画撮影中には自動的に静音モードに設定してもよい。また、周辺の環境音が静かであった場合には、交換レンズ３００や中間レンズ４００の駆動音が目立ってしまう可能性が高いため、音声処理エンジン２４３の周辺環境音の認識結果に基づき、環境音が所定レベル以下の場合は、静音モードに設定するようにしても良い。さらに、交換レンズ３００や中間レンズ４００の駆動音自体が大きいレンズは、静音モードに設定しても良い。また、静音モードの選択において、外部マイクが装着された場合や、音声処理エンジン２４３が交換レンズ３００や中間レンズ４００の駆動音のノイズキャンセル効果を有する場合には、駆動音の影響が少ないと考えられるため、高速モードに設定しても良い。
【００６４】
また、通常モードにおいて、図３に示したフローチャートにおける処理の順番（ステップＳ２０１〜ステップＳ２０５）は一例であり、交換レンズ３００のズーム駆動より先に、中間レンズ４００のズーム駆動をしても良く、順番を定義するものではない。
【００６５】
上記の実施形態では、中間レンズ４００のズームレンズ４３２の駆動をカメラボディ２００または交換レンズ３００から制御する例を説明したが、カメラボディ２００または交換レンズ３００から制御する光学部材はズームレンズに限定されない。中間レンズ４００にズームレンズ以外の光学部材（例えば、フォーカスレンズや絞りなど）が含まれている場合、その光学部材をカメラボディ２００または交換レンズ３００から制御するようにしてもよい。
【産業上の利用可能性】
【００６６】
本発明は、デジタルカメラのみならず、カムコーダ、カメラ付き携帯電話などのレンズ制御装置を搭載する電子機器に適用可能である。
【符号の説明】
【００６７】
１００  デジタルカメラ
２００  ボディ
２０１  ボディマイコン
２１０  ボディマウント
２１１  ボディ通信部
２２０  撮像センサ駆動制御部
２２１  撮像センサ（撮像素子の一例）
２３０  画像表示制御部
２３１  画像表示部
２４０  画像処理エンジン
２４１  メモリカード
２４２  内蔵マイク
２４３  音声処理エンジン
２５１  静止画撮影操作ボタン
２５２  動画撮影操作ボタン
２５３  メニュー操作ボタン
２５５  ズーム操作ボタン（カメラボディ）
３００  交換レンズ
３０１  交換レンズマイコン
３１０  交換レンズマウント
３１１  交換レンズ通信部
３３０  ズームレンズ駆動制御部（交換レンズ）
３３１  ズームモータ（ズームアクチュエータの一例）（交換レンズ）
３３２  ズームレンズ（交換レンズ）
３５５  ズーム操作ボタン（交換レンズ）
４００  中間レンズ
４０１  中間レンズマイコン
４１０  中間レンズマウント（ボディ側）
４１１  中間レンズ通信部（ボディ側）
４２０  中間レンズマウント（レンズ側）
４２１  中間レンズ通信部（レンズ側）
４３０  ズームレンズ駆動制御部（中間レンズ）
４３１  ズームモータ（ズームアクチュエータの一例）（中間レンズ）
４３２  ズームレンズ（中間レンズ）
【図１】
2012118522.tif 000003
【図２】
2012118522.tif 000004
【図３】
2012118522.tif 000005